(57)【要約】【課題】本発明は、通話時間やメール送受信件数等の使用量情報を、簡単な操作により、ユーザが常時確認することができる携帯電話機を提供する。【解決手段】第１の筐体と第２の筐体とからなり、それらの筐体の位置関係が第１の状態、第２の状態の少なくとも２つの状態に遷移可能な携帯電話機であって、通話時間やメール送受信件数を示す使用量情報を記憶する記憶手段と、第１の状態から第２の状態に遷移した際、前記記憶手段により記憶された使用量情報を表示する表示手段と、を備えた。【選択図】  図７
2009100122.tif 000002
【特許請求の範囲】
【請求項１】
第１の筐体と第２の筐体とからなり、それらの筐体の位置関係が第１の状態、第２の状態の少なくとも２つの状態に遷移可能な携帯電話機であって、
通話時間やメール送受信件数を示す使用量情報を記憶する記憶手段と、
前記第１の状態から第２の状態に遷移した際、前記記憶手段により記憶された使用量情報を表示する表示手段と、
を備えたことを特徴とする携帯電話機。
【請求項２】
前記表示手段は、前記使用量情報を表示してから所定時間が経過したときに、この表示を終了することを特徴とする請求項１記載の携帯電話機。
【請求項３】
前記使用量情報は、通話時間やメール送受信件数に対する通話料金や通信料金の情報を含んでいることを特徴とする請求項１記載の携帯電話機。
【請求項４】
前記使用量情報を表示するか否かを示す使用量表示情報を入力する入力手段を備え、
前記記憶手段は、前記入力手段により入力された使用量表示情報を記憶するとともに、
前記表示手段は、前記記憶手段により記憶された使用量表示情報が、前記使用量情報を表示する旨を示す場合、前記使用量情報を表示することを特徴とする請求項１記載の携帯電話機。
【発明の詳細な説明】
【技術分野】
【０００１】
本発明は、通話時間やメール送受信件数等の使用量情報を所定のタイミングで表示することができる携帯電話機に関する。
【背景技術】
【０００２】
近年、通話時間やメール送受信件数等の使用量を随時カウントしておき、ユーザの指示に基づいて、これらの使用量を表示することができる携帯電話機が普及している。この使用量は、それまでの累積で表示されたり月単位で積算されて表示されたりするが、月単位で積算されて表示される理由としては、携帯電話の料金が月額にて計算されており、毎月の使用量と直結していることに大きく起因すると考えられる。特に通話やパケット通信などについては、一定の通話時間やパケット数を無料とするサービスが運用されているため、ユーザから、通話時間やパケット数が一定量を超えないように、常に使用量を把握することができるシステムが望まれていた。
【０００３】
そこで、通話中に通話を中断することなく課金単位時間等の一定時間の経過を通知することができる携帯電話機が提案されている（特許文献１参照）。この携帯電話機は、通話中に通話時間を計測し、所定時間が経過する毎に振動してユーザに対して警告を促すものである。ユーザは、この警告に基づいて通話時間を調整することができる。
【特許文献１】特開２００１−２７４８７３号公報
【発明の開示】
【発明が解決しようとする課題】
【０００４】
現在普及している携帯電話機には、通話時間やメール送受信件数等の使用量をユーザに通知することができるものが多いが、ユーザがこれらの携帯電話機で使用量を確認するためには、面倒なキー操作を複数回行って、通話時間やメール送受信件数などを表示するための画面を呼び出す必要があった。
【０００５】
本発明は、上記課題を鑑みなされてものであり、通話時間やメール送受信件数等の使用量情報を、簡単な操作により、ユーザが確認することができる携帯電話機を提供することを目的とする。
【課題を解決するための手段】
【０００６】
上記課題を解決するために、本発明に係る携帯電話機は、第１の筐体と第２の筐体とからなり、それらの筐体の位置関係が第１の状態、第２の状態の少なくとも２つの状態に遷移可能な携帯電話機であって、通話時間やメール送受信件数を示す使用量情報を記憶する記憶手段と、前記第１の状態から第２の状態に遷移した際、前記記憶手段により記憶された使用量情報を表示する表示手段と、を備えたことを特徴とする。
【発明の効果】
【０００７】
本発明に係る携帯電話機によると、通話時間やメール送受信件数等の使用量情報を、例えばシェルオープン時等の任意のタイミングで表示するようにすることで、簡単な操作により、ユーザが確認することが可能となる。
【発明を実施するための最良の形態】
【０００８】
本発明に係る携帯電話機の実施形態について、添付図面を参照しながら説明する。本発明に係る携帯電話機１として、複数の筐体が相互に回転自在なように形成されていて、これらの複数の筐体の位置関係が変化することにより、開状態、閉状態の少なくとも２つの状態に遷移するクラムシェル型の携帯電話機を例にあげて説明する。図１（Ａ）は、携帯電話機１の開状態を示す正面図、図１（Ｂ）は、携帯電話機１の開状態を示す側面図である。また、図２（Ａ）は、携帯電話機１の閉状態を示す正面図、図１（Ｂ）は、携帯電話機１の閉状態を示す側面図である。
【０００９】
携帯電話機１は、図１及び図２に示すように、矩形の板状の上筐体１０と、この上筐体１０とほぼ同形状をした下筐体１１とが、相互に一面を覆うように積層されることにより形成されている。これらの上筐体１０及び下筐体１１は、ヒンジ部１２を挟むようにヒンジ結合されていて、上筐体１０は下筐体１１に対して、ヒンジ部１２を軸にして、図１（Ａ）のＸ方向に所定角度だけ回転自在なように形成されている。携帯電話機１は、この上筐体１０及び下筐体１１が相互に一面を覆うように積層された閉状態から、上筐体１０を下筐体１１に対してヒンジ部１２を軸にして回転させることにより、上筐体１０及び下筐体１１の各面が露出された開状態に遷移する。以下、上筐体１０を下筐体１１に対して回転させて、携帯電話機１を閉状態から開状態に遷移させることを、シェルをオープンすると言う。
【００１０】
上筐体１０の内面（下筐体１１に対面する側の面）には、文字や画像等を表示するための液晶ディスプレイ１３、音声を出力するためのスピーカ１４が設けられている。これらの液晶ディスプレイ１３やスピーカ１４は、携帯電話機１が閉状態のときには、下筐体１１により覆われていて外部に露出していないが、上筐体１０を下筐体１１に対して回転させて開状態に変形させたとき（シェルオープン時）には、外部に露出される。
【００１１】
下筐体１１の内面（上筐体１０に対面する側の面）には、例えば、カーソルや表示画面を上下左右に移動させるための十字キーや、数字を入力するための数字キー、発信処理を行うための発信キー等の操作キー１５が設けられている。また下筐体１１には、音声を集音するためのマイクロフォン１６が設けられている。これらの操作キー１５やマイクロフォン１６は、携帯電話機１が閉状態のときには、上筐体１０により覆われていて外部に露出していないが、上筐体１０を下筐体１１に対して回転させて開状態に変形させたとき（シェルオープン時）には、外部に露出される。
【００１２】
また、上筐体１０の外面（下筐体１１に対面しない側の面）にはＣＣＤカメラ１７が設けられていて、ユーザは、携帯電話機１を開状態また閉状態にした状態で、周囲の風景を撮像することができる。さらに、上筐体１０及び下筐体１１の所定の位置には磁気センサ１８Ａ及び磁気センサ１８Ｂがそれぞれ内蔵されている。これらの磁気センサ１８Ａ及び磁気センサ１８Ｂは、携帯電話機の開閉状態（形態）を検出するために使用される。
【００１３】
次に、携帯電話機１の機能について、図３に示す機能ブロック図を用いて説明する。携帯電話機１は、図３に示すように、主制御部２０、電源回路部２１、操作入力制御部２２、表示制御部２３、カメラ制御部２４、音声コーデック２５、変復調回路部２６、記憶部２７、使用量表示制御部２８、及び開閉制御部２９がバスによって相互に接続されて構成されている。
【００１４】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、様々な演算処理や制御処理等を行う。電源回路部２１は、ユーザによる操作キー１５を介した入力に基づいて電源のオン／オフ状態を切り替え、電源がオン状態の場合に電力供給源（バッテリ等）から各部に対して電力を供給して、携帯電話機１を動作可能にする。
【００１５】
操作入力制御部２２は操作キー１５に対する入力インタフェースを備え、操作キー１５を介して入力された信号を主制御部２０に伝送する。表示制御部２３は液晶ディスプレイ１３に対する表示インタフェースを備え、主制御部２０や使用量表示制御部２８の制御に基づいて、文書データや画像データ等を液晶ディスプレイ１３に表示する。カメラ制御部２４は、ＣＣＤカメラ１７により撮像された画像信号を入力して、主制御部２０や記憶部２７に伝送する。
【００１６】
携帯電話機１は、他の携帯電話機や固定電話機に対して、基地局（図示せず）を介して音声通話処理を行う。すなわち音声コーデック２５は、主制御部２０の制御に基づいて、マイクロフォン１６が集音した音声を取得して、この音声のアナログ信号をデジタル信号に変換し、変復調回路部２６に伝送する。変復調回路部２６は、このデジタル信号をスペクトラム拡散処理して送受信回路部３０に伝送する。送受信回路部３０は、このデジタル信号をアンテナ３１を介して基地局に送信する。
【００１７】
また変復調回路部２６は、送受信回路部３０がアンテナ３１を介して基地局から受信したデジタル信号をスペクトラム逆拡散処理して音声コーデック２５に伝送する。音声コーデック２５は、音声通話の際に、変復調回路部２６から取得したデジタル信号をアナログ信号に変換して、この音声をスピーカ１４から出力する。
【００１８】
また、携帯電話機１は、他の携帯電話機や通信機器に対してデータ通信処理を行う。すなわち携帯電話機１は、電子メールやＷｅｂ閲覧データ、画像データ、映像データ等の様々なデータの送受信処理を行う。主制御部２０は、データを受信する際、送受信回路部３０がアンテナ３１を介して基地局から受信した受信信号を変復調回路部２６でスペクトラム逆拡散処理して、データを復元する。このデータは、主制御部２０の指示により、表示制御部２３を介して液晶ディスプレイ１３に表示されたり記憶部２７に記録されたりする。また主制御部２０は、操作入力部２２を介して入力されたデータや記憶部２７に記憶されたデータを送信する際、変復調回路部２６がデータに対してスペクトラム拡散処理を行い、送受信回路部３０がアンテナ３１を介して基地局に送信する。
【００１９】
記憶部２７は、主制御部２０や使用量表示制御部２８が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、主制御部２０が処理を行う際に使用されるデータを一時的に記憶するＲＡＭ（Ｒａｎｄｏｍ  Ａｃｃｅｓｓ  Ｍｅｍｏｒｙ）等からなる。また記憶部２７は、ユーザにより入力された文書データや撮像された画像データ、デスクトップ画像の画像データ、送受信されたデータ等、様々なデータが記憶されている。また、使用量表示制御部２８が後述する使用量表示処理を行う際の処理プログラム、主制御部２０が後述する設定処理を行う際の処理プログラムは、例えばＲＯＭに記憶されているものとする。
【００２０】
また記憶部２７は、通話時間や通話料金、電子メール等の送受信件数や通信料金等を示す使用量情報４０を記憶するための使用量情報記憶部２７ａを備えている。使用量情報４０は、例えば、機能を示す機能情報４１、各機能が行われた時間や件数を示す時間／件数情報４２、及び、各機能が行われたことにより発生する料金を示す料金情報４３がそれぞれ対応付けられた情報である。使用量情報４０は、例えば月毎に積算された情報であり、通話やメール送受信、パケット通信等の処理が行われた際に、随時更新される。
【００２１】
例えば、図４に示す使用量情報４０では、「通話／送話」の機能情報４１に対して、時間／件数情報４２に「３２分５２秒」、料金情報４３に「３０００円」がそれぞれ対応付けられている。これは、ユーザが通話（送話）を３２分５２秒行い、それにより３０００円の料金が発生していることを示す。同様に、「Ｅメール／送信」の機能情報４１に対して、時間／件数情報４２に「５８件」、料金情報４３に「５００円」が、「Ｅメール／受信」の機能情報４１に対して、時間／件数情報４２に「５０件」、料金情報４３に「３００円」が、「Ｃメール／送信」の機能情報４１に対して、時間／件数情報４２に「４９件」、料金情報４３に「１４７円」が、「パケット／受信」の機能情報４１に対して、時間／件数情報４２に「１０００パケット」、料金情報４３に「１０５０円」が、それぞれ対応付けられている。ユーザが、料金が発生する機能の使用量を把握したがっていることを考慮し、通話時間は自己発信した場合のみ、Ｅメール（電子メール；送信側及び受信側が共に有料となるメールサービス）は送受信件数、Ｃメール（ショートメッセージサービス；送信側が有料、受信側が無料となるメールサービス）は送信のみの件数を表示する。なお、これらの使用量情報４０は、主制御部２０によって通話時間、Ｅメールの送信及び受信、Ｃメールの送信、パケットの受信料が管理されており、さらに携帯電話機１の主制御部２０によって予め決められた計算式によって計算され、図４に示す使用量情報４０として記憶される。
【００２２】
さらに記憶部２７は、ユーザによる各種動作に対する使用量表示機能のＯＮ／ＯＦＦ設定等を示す設定情報５０を記憶するための設定情報記憶部２７ｂを備えている。設定情報５０は、ユーザによる動作を示す動作情報５１、使用量表示を行うか否かを示す使用量表示情報５２がそれぞれ対応付けられた情報である。
【００２３】
例えば、図５に示す設定情報５０では、「シェルオープン時」を示す動作情報５１に対して、使用量表示情報５２に「ＯＮ」が対応付けられている。これは、ユーザがシェルをオープンしたときに、使用量表示を行うことを意味する。また、「アプリ中断時」を示す動作情報５１に対して、使用量表示情報５２に「ＯＦＦ」が対応付けられている。これは、ユーザがアプリを中断したときに、使用量表示を行わないことを意味する。同様に、「復帰時」を示す動作情報５１に対して、使用量表示情報５２に「ＯＦＦ」が、「メール送信時」を示す動作情報５１に対して、使用量表示情報５２に「ＯＮ」がそれぞれ対応付けられている。
【００２４】
使用量表示制御部２８は、記憶部２７に記憶された使用量情報４０や設定情報５０に基づいて、使用量をユーザに通知するための使用量表示処理を行う。使用量表示制御部２８は、設定情報５０に基づいたタイミング（例えばシェルオープン時等）で、使用量情報４０に基づいて、通話時間や通話料金、Ｅメール等の送受信件数や通信料金等を示す使用量を液晶ディスプレイ１３に表示させるとともに、表示してから所定時間だけ経過したときに、この表示を終了する。
【００２５】
筐体開閉部２９は、例えば磁気センサ１８Ａ、１８Ｂを用いて磁気を検出することにより、上筐体１０及び下筐体１１の開閉状態（形態）を判定して、その開閉状態を表す開閉検出信号を主制御部２０や使用量表示制御部２８に伝送する。
【００２６】
携帯電話機１は、上述したように、シェルオープン時等の任意のタイミングで通話時間や通話料金、Ｅメール等の送受信件数や通信料金等を示す使用量を表示する使用量表示機能を備えていて、例えばユーザによりシェルがオープンされたりメール送信機能が起動されたりした際に、記憶部２７に記憶された使用量情報４０や設定情報５０に基づいて、ユーザに対して使用量を通知するための使用量表示処理を行う。携帯電話機１が、使用量表示処理を行う際の手順について、図６に示すフローチャートに基づいて説明する。以下、例えば「ステップＳ１０１」を「Ｓ１０１」のように、「ステップ」の語句を省略して説明する。
【００２７】
携帯電話機１は、設定情報５０において使用量表示情報５２が「ＯＮ」に設定されている動作が行われた際に、使用量情報４０の表示を行う。ここでは、ユーザによりシェルオープンの動作が行われた場合について説明する。始めに使用量表示制御部２８は、ユーザによりシェルがオープンされたか否かを判断する（Ｓ１０１）。この際、使用量表示制御部２８は、開閉制御部２９から開閉検出信号を取得することにより、携帯電話機１が開状態であるか閉状態であるか、及び、携帯電話機１が閉状態から開状態に遷移したか否かの判断を行う。シェルがオープンされていない場合（Ｓ１０１のＮｏ）は、使用量表示制御部２８はそのまま待機する。
【００２８】
シェルがオープンされた場合（Ｓ１０１のＹｅｓ）は、使用量表示制御部２８は、記憶部２７からデスクトップ画像を取得して、この画像を液晶ディスプレイ１３に待ち受け画面６１として表示する（Ｓ１０７）。そして使用量表示制御部２８は、設定情報５０において「シェルオープン時」の使用量表示情報５２が「ＯＮ」に設定されているか否かを判断する（Ｓ１０９）。使用量表示情報５２が「ＯＮ」に設定されている場合（Ｓ１０９のＹｅｓ）は、使用量表示制御部２８は、使用量情報記憶部２７ａから使用量情報４０を取得する（Ｓ１１１）。また使用量表示制御部２８は、Ｓ１１１にて取得した使用量情報４０を液晶ディスプレイ１３に表示する（Ｓ１１３）。
【００２９】
図７（Ａ）に、液晶ディスプレイ１３に使用量情報４０を表示した際の表示画面６０の一例を示す。表示画面６０は、取得してＳ１０７にて表示された待ち受け画面６１、通話時間表示欄６２、Ｅメール送受信件数表示欄６３、Ｃメール送信件数表示欄６４を備えていて、各欄に、使用量情報記憶部２７ａに記憶されている使用量情報４０の時間／件数情報４２や料金情報４３が表示されている。これらの使用量情報４０は例えばその月における使用量を示していて、ユーザはその月の使用量を確認することによって、有料の機能の使用量を調整することができる。なお、この際に表示される内容は図７（Ａ）に表示されている内容に限定されず、通話時間や通話料金、パケット数や通信料金など、任意に設定された情報であって構わない。
【００３０】
使用量表示制御部２８は、所定時間が経過したか否かを判断する（Ｓ１１５）。この際の所定時間は、例えば「２秒」等であり、予め設定されて使用量表示制御部２８または記憶部２７に記憶されている。所定時間が経過していない場合（Ｓ１１５のＮｏ）は、使用量表示制御部２８は所定時間が経過するまで待機する。所定時間が経過した場合（Ｓ１１５のＹｅｓ）は、使用量表示制御部２８は、Ｓ１１３にて表示した使用量情報４０の表示を終了する（Ｓ１１７）。なお、使用量表示情報５２が「ＯＦＦ」に設定されている場合（Ｓ１０９のＮｏ）は、使用量表示制御部２８は、使用量情報４０を表示する処理（Ｓ１１１乃至Ｓ１１７の処理）を行わずに、待ち受け状態に移行する。
【００３１】
図７（Ｂ）に、液晶ディスプレイ１３において使用量情報４０の表示を終了した際の表示画面６０の一例を示す。使用量情報４０の表示を終了した場合の表示画面６０は、予め定められた画面（例えばＳ１０７にて表示された待ち受け画面６１）が表示されている。
【００３２】
すなわち、携帯電話機１において使用量情報４０の表示を終了すると、液晶ディスプレイ１３には通常通りの待ち受け画面が表示され、通常通りの待機状態に移行する。この待機状態において、ユーザは、使用量の表示を終了するためのキー操作を行わずとも、携帯電話機１を用いて様々な処理を行うことが可能となる。
【００３３】
なお、使用量情報４０が表示されている間であっても、ユーザは通常通りキー操作を行うことができるものとする。すなわち、使用量情報４０を一時的に表示しているだけであって、キー操作としての制約は何も受けないので、シェルオープン後に使用量表示を行っていても、ユーザは目的の操作を行えることができる。
【００３４】
また、シェルオープン時における使用量表示処理について説明したが、アプリ中断時、復帰時、メール送信時等、任意の動作に対して、同様の手順で、使用量表示制御部２８は使用量表示処理を行うものとする。
【００３５】
このようにして携帯電話機１は、シェルオープン時等の任意のタイミングにおいて使用量情報４０を表示することで、ユーザに対して使用量を随時通知する。これにより、ユーザが面倒なキー操作を行って使用量表示用の画面を呼び出す際の手間を省略できる。また、携帯電話機１では、使用量を所定時間だけ表示した後、表示を終了して待機状態に移行することで、ユーザは使用量表示用の画面を終了するキー操作を行うことなく、そのまま通常通りの処理を行うことができる。
【００３６】
次に、ユーザの指示に従って設定情報５０を設定する処理について、図８に示すフローチャートに基づいて説明する。ここでは、シェルオープン時の使用量表示情報５２を設定する場合について説明する。始めに主制御部２０は、ユーザにより各種設定を行うように指示があった場合に、液晶ディスプレイ１３に表示される表示画面６０において、図９（Ａ）に示すようなメニュー項目を表示する。メニュー項目は、例えば、待ち受け画面を設定するための「待ち受け画面」、通話中画面を設定するための「通話中画面」、また、シェルオープン時の画面を設定するための「オープン設定」等である。ユーザは、これらのメニュー項目から「オープン設定」を選択することにより、携帯電話機１に対してシェルオープン時の画面の設定を指示する。
【００３７】
主制御部２０は、シェルオープン時の画面の設定が指示されたか否かを判断する（Ｓ２０１）。シェルオープン時の画面の設定が指示されていない場合（Ｓ２０１のＮｏ）は、主制御部２０はそのまま待機する。シェルオープン時の画面の設定が指示された場合（Ｓ２０１のＹｅｓ）は、主制御部２０は、液晶ディスプレイ１３に表示される表示画面６０において、図９（Ｂ）に示すようなオープン設定項目を表示する（Ｓ２０３）。
【００３８】
オープン設定項目は、例えば、シェルオープン時の使用量表示情報５２をＯＮにするための「シェルオープン時使用量表示ＯＮ」、シェルオープン時の使用量表示情報５２をＯＦＦにするための「シェルオープン時使用量表示ＯＦＦ」、アプリ中断時の使用量表示情報５２をＯＮにするための「アプリ中断時使用量表示ＯＮ」、アプリ中断時の使用量表示情報５２をＯＦＦにするための「アプリ中断時使用量表示ＯＦＦ」等である。
【００３９】
主制御部２０は、ユーザにより「シェルオープン時使用量表示ＯＮ」が選択されたか否かを判断する（Ｓ２０５）。図９（Ｃ）に示すように、「シェルオープン時使用量表示ＯＮ」が選択された場合（Ｓ２０５のＹｅｓ）は、主制御部２０は、シェルオープン時の使用量表示情報５２をＯＮに設定し、これを設定情報記憶部２７ｂに記憶する（Ｓ２０７）。この際、例えば図９（Ｄ）に示すように、表示画面６０において、シェルオープン時の使用量表示をＯＮに設定した旨を一定時間表示することにより、ユーザに設定内容を通知すると良い。
【００４０】
また、主制御部２０は、ユーザにより「シェルオープン時使用量表示ＯＦＦ」が選択されたか否かを判断する（Ｓ２０９）。図９（Ｅ）に示すように、「シェルオープン時使用量表示ＯＦＦ」が選択された場合（Ｓ２０９のＹｅｓ）は、主制御部２０は、シェルオープン時の使用量表示情報５２をＯＦＦに設定し、これを設定情報記憶部２７ｂに記憶する（Ｓ２１１）。この際、例えば図９（Ｆ）に示すように、表示画面６０において、シェルオープン時の使用量表示をＯＦＦに設定した旨を一定時間表示することにより、ユーザに設定内容を通知すると良い。
【００４１】
このように、ユーザが各動作毎に使用量表示機能を使用するか否かを設定し、携帯電話機１がその設定情報５０に基づいて使用量表示処理を行うことにより、ユーザが所望の動作を行った場合においてのみ、使用量表示を行うができる。
【００４２】
なお、使用量を月毎に積算する例について説明したが、これに限定されず、ユーザにより指定された日数毎に積算しても良いし、ユーザが手動でリセットする（「０」にする）ようにしても良い。
【００４３】
また、通話時間やＥメールの件数、パケット数等について、予め所定値を設定しておくことで、通話料や通信量がこの所定値を超えた場合には、使用量表示の際に色を変えて表示させたり警告音を発生させたりしてユーザに警告を促しても良い。
【００４４】
さらに、本発明に係る携帯電話機１としてクラムシェル型の携帯電話機について説明したが、これに限定されず、スライド型の携帯電話機（複数の筐体がスライド自在に積層されてなる携帯電話機）等の任意に構成された携帯電話機において、使用量表示機能を適用させることができる。
【００４５】
本発明に係る携帯電話機１によると、例えばシェルオープン時等のタイミングで、通話時間や通話料金、メール送受信件数や通信料金等を示す使用量を表示するようにすることで、ユーザが使用量を確認する際の面倒なキー操作が省略され、ユーザが簡単な操作により使用量を常時確認することが可能となっている。また、使用量を一定時間（数秒間）表示した後、表示を終了することで、ユーザは使用量の表示を終了するための面倒なキー操作を行うことなく、そのまま通常通りの処理を行うことができる。
【００４６】
本発明の説明として、携帯電話機１について説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）等の任意の通信端末であっても良い。
【図面の簡単な説明】
【００４７】
【図１】（Ａ）は、本発明に係る携帯電話機の開状態を示す正面図、（Ｂ）は、本発明に係る携帯電話機の開状態を示す側面図。
【図２】（Ａ）は、本発明に係る携帯電話機の閉状態を示す正面図、（Ｂ）は、本発明に係る携帯電話機の閉状態を示す側面図。
【図３】本発明に係る携帯電話機の機能ブロック図。
【図４】使用量情報を示すデータ構成図。
【図５】設定情報を示すデータ構成図。
【図６】本発明に係る携帯電話機において使用量表示処理を行う際の手順を示すフローチャート。
【図７】（Ａ）は、本発明に係る携帯電話機において使用量表示処理を行う際の表示画面を示す画面図、（Ｂ）は、本発明に係る携帯電話機において使用量表示処理を行った後の表示画面を示す画面図。
【図８】本発明に係る携帯電話機において設定処理を行う際の手順を示すフローチャート。
【図９】本発明に係る携帯電話機において設定処理を行う際の画面遷移図。
【符号の説明】
【００４８】
１…携帯電話機，１０…上筐体，１１…下筐体，１２…ヒンジ部，１３…液晶ディスプレイ，１４…スピーカ，１５…操作キー，１６…マイクロフォン，１７…ＣＣＤカメラ，１８Ａ、１８Ｂ…磁気センサ，２０…主制御部，２１…電源回路部，２２…操作入力制御部，２３…表示制御部，２４…カメラ制御部，２５…音声コーデック，２６…変復調回路部，２７…記憶部，２７ａ…使用量情報記憶部，２７ｂ…設定情報記憶部，２８…使用量表示制御部，２９…開閉制御部，３０…送受信回路部，３１…アンテナ，４０…使用量情報，５０…設定情報，６０…表示画面，６１…待ち受け画面，６２…通話時間表示欄，６３…Ｅメール送受信件数表示欄，６４…Ｃメール送信件数表示欄。
【図１】
2009100122.tif 000003
【図２】
2009100122.tif 000004
【図３】
2009100122.tif 000005
【図４】
2009100122.tif 000006
【図５】
2009100122.tif 000007
【図６】
2009100122.tif 000008
【図７】
2009100122.tif 000009
【図８】
2009100122.tif 000010
【図９】
2009100122.tif 000011